(57)【要約】【課題】低コスト且つ簡便にケース状部材を支持部材に脱着させることができる遊技機を提供する。【解決手段】収容ケース３８に第１〜第３係止爪３９〜４１を設けて、支持部材１１に設けられた第１〜第３係合穴４５〜４７の縁部にてそれぞれの係止爪が係止されるようにし、また、支持部材１１に取り付けられた収容ケース３８が容易に外れないように保持する固定突起４８を、支持部材１１に取り付けようとする収容ケース３８の１外面によって押圧されて保持位置より退避位置に変位し、収容ケース３８が支持部材１１に取り付いたときには収容ケースの１外面による押圧から開放されて保持位置に復帰するようにし、また、収容ケース３８を支持部材１１に取り付ける位置を明確にするガイド片５０、５１を設ける。【選択図】        図１０
2004337344.tif 000002
【特許請求の範囲】
【請求項１】
遊技を行う際に作動する装置を収容または装着の少なくとも何れかを行う取込部材と、前記取込部材を支持する支持部材とを備えた遊技機において、
前記取込部材には、前記支持部材に設けられた穴部と係合する係止片が設けられ、
前記支持部材には、前記係止片と前記穴部とが係合した状態を保持する保持位置と、該保持位置から退避して前記係止片と前記穴部との係合状態を解除可能な退避位置とに変位自在であって、前記穴部に前記係止片が係合される際に前記保持位置から前記退避位置へ変位するように前記取込部材と当接する固定突起を設けたことを特徴とする遊技機。
【請求項２】
前記固定突起は、撓むことによって前記保持位置と前記退避位置とに変位自在となることを特徴とする請求項１記載の遊技機。
【請求項３】
前記支持部材には、前記取込部材を前記支持部材に取り付ける際に、前記係止片を前記穴部に係合し得るよう、定められた方向に連なって突出した案内突起が設けられていることを特徴とする請求項１または請求項２記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置されるパチンコ機やスロットマシン等の遊技機は、遊技盤や本体枠に、遊技媒体の供給に基づいて作動するランプや音声発生装置などの様々な各種装置及びこれら装置を制御する各種制御装置を備えており、遊技者が遊技を行う際にこれらが作動することによって遊技を興趣に溢れたものとしている。また、近年では、リール表示装置または液晶画像表示装置等の図柄表示装置や、遊技機に設けられた装飾物を遊技状態に応じて作動させる作動制御装置などを備えて遊技に用いているものも多い。これらの装置は遊技機の内部に配設された各種制御装置によって制御されている。
【０００３】
これら制御装置は取込部材に収容または装着されて電気的保安性を保っている。例えば、取込部材としてケース状部材を用い、該ケース状部材内に制御装置を収容するものがある。そして、ケース状部材は、遊技機本体内に取り付ける支持部材に固定支持するようになっている。
【０００４】
【発明が解決しようとする課題】
しかしながら、上記のような遊技機であっては、ケース状部材を支持部材へ取り付ける方法としては、ネジ止めやラッチ機能を有するピンによる取り付け方法などが採用されており、これら別部品及び該別部品を取り扱うためのドライバ等の器具を用いることによるコストの増加や、製造時及びリサイクル時においてケース状部材を支持部材に脱着する際の手間が掛かるという欠点があった。
【０００５】
本発明は、上記従来技術の問題を解決するためになされたものであり、ケース状部材（取込部材）を支持部材に低コスト且つ簡便に着脱させることができる遊技機を提供することを目的とする。
【０００６】
【課題を解決するための手段】
上記目的を達成するために、本発明の遊技機は、遊技を行う際に作動する装置を収容または装着の少なくとも何れかを行う取込部材と、前記取込部材を支持する支持部材とを備えた遊技機において、前記取込部材には、前記支持部材に設けられた穴部と係合する係止片が設けられ、前記支持部材には、前記係止片と前記穴部とが係合した状態を保持する保持位置と、該保持位置から退避して前記係止片と前記穴部との係合状態を解除可能な退避位置とに変位自在であって、前記穴部に前記係止片が係合される際に前記保持位置から前記退避位置へ変位するように前記取込部材と当接する固定突起を設けたことを特徴とするものである。なお、遊技を行う際に作動する装置とは、遊技媒体の供給に基づいて作動する制御回路装置などの電気的な装置を含むものである。
【０００７】
なお、前記取込部材は、遊技機の音声発生装置または照明装置などを作動制御する制御装置を収容するケース状部材とすると、電気的保安性を高めることができるため好適である。
【０００８】
また、前記固定突起は、撓むことによって前記保持位置と前記退避位置とに変位自在となることが好適である。これにより、固定突起の位置を保持位置に対して退避及び復元させる構成を単純化でき、コストダウンを図ることができる。
【０００９】
また、前記支持部材には、前記取込部材を前記支持部材に取り付ける際に、前記係止片を前記穴部に係合し得るよう、定められた方向に連なって突出した案内突起が設けられていることが好適である。これにより、前記係止爪を備えた部材を該支持部材に取り付ける際に、取り付け位置が明確となり、取り付け容易性の向上や、固定力の向上や、取り付け及び保持の確実性の向上を図ることができる。
【００１０】
【発明の実施の形態】
図１に本発明を用いた遊技機の実施の形態であるパチンコ機の外観を示す。パチンコ機２の本体枠３の内部には遊技盤４が配設されており、遊技盤４の前面には開口扉（前面枠）５が開閉自在に設けられている。この開口扉５の中央には開口５ａが形成されており、この開口５ａは、開口扉５の裏側に取り付けられるガラス枠６（図２参照）のガラス板７により、遊技盤４を視認可能な状態で遮蔽されている。また、パチンコ機２には、遊技を行う際に作動するランプ３０（図３に図示）、音声発生装置３１（図３に図示）などの各種装置が適宜の位置に配設されている。開口扉５の下方には、打球供給用の供給皿８及び遊技媒体となる遊技球の打ち出し強さを調節する操作ハンドル９が設けられている。遊技者が供給皿８に遊技球を投入すると、内部に設けられた通路により遊技球は発射装置へと誘導される。そして、操作ハンドル９を操作して遊技盤４上に遊技球を打ち出す。なお、開口扉５が閉じている状態である場合には、遊技者や遊技場の作業者等は、開口扉５の裏側に取り付けられたガラス板７を介して遊技盤４の遊技領域４ａ（図２に図示）及び遊技領域４ａ上を流下していく遊技球を見ることはできるが、遊技盤４にはもちろんのこと、本体枠３の内部に備えられた電子機器にも触れることはできないようになっている。
【００１１】
図２に示すように、遊技盤４の背面には、支持部材１１が遊技盤４に取り付けられている。なお、遊技盤４を支持部材１１に取り付ける方法は、ネジ等を用いるなど、適宜の方法を用いて良い。本実施形態における支持部材１１は、遊技を行う際に作動するランプ３０や音声発生装置３１などの様々な各種装置の制御を行う制御装置を収容または装着するための取込部材が取り付けられるものとなっている。
【００１２】
遊技盤４上にはガイドレール１２に囲まれた遊技領域４ａが形成され、遊技球を受け入れるための開口（入賞）部となる、始動入賞口１３、通常入賞口１４、アタッカ１５等の所定入賞口、及びアウト口１６、図柄表示装置１７が配設されている。また、遊技領域４ａには、図示を省略した釘、風車などが設けられている。これらの構造物は公知であるので説明は省略する。また、開口扉５を開放することで、遊技場の作業者がこれらの構造物の調整などを行うことができるようになる。なお、遊技盤４の本体枠３への取付方法については図示はしないが、例えばネジ止めにより本体枠３に組み付けたり、本体枠３又は遊技盤４の少なくともいずれか一方にストッパ等の保持部材を設けて遊技盤４を本体枠３の所定位置に保持したり等、パチンコ機２の構成等を考慮して、適宜本体枠３に組み付けるようにしてよい。
【００１３】
図３に示すように、パチンコ機２の作動は基本的に主制御装置２０におけるマイクロコンピュータによって管制する。主制御装置２０は、ＣＰＵ２０ａ及びＲＯＭ２０ｂ及びＲＡＭ２０ｃを備えた基板構成からなる。ＣＰＵ２０ａは、ＲＯＭ２０ｂに記憶されている遊技制御プログラムに基づいてパチンコ機の遊技状態を制御する。ＲＯＭ２０ｂには、遊技制御プログラム及び乱数生成処理プログラム及び乱数テーブルなど、遊技状態を制御するための情報が所定の領域に格納されており、ＣＰＵ２０ａによって適宜読み込み処理が行われ、ＣＰＵ２０ａは制御情報を生成する。ＲＡＭ２０ｃは、記憶手段としてワーキングエリアとなっており、制御情報や、遊技履歴や、遊技媒体の供給に基づいて行われる遊技ごとに利用されるデータなどの一時的記憶や書き換えなどに用いられる。
【００１４】
始動入賞口１２には、始動入賞口１２に入賞した遊技球を検知する始動入賞球センサ２１が設けられ、通常入賞口１３には、通常入賞口１３に入賞した遊技球を検知する通常入賞球センサ２２が設けられ、アタッカ１４には、アタッカ１４内部に入賞した遊技球を検知するアタッカ入賞球センサ２３が設けられている。なお、始動入賞口１２または通常入賞口１３またはアタッカ１４に遊技球が入賞すると、入賞した遊技球は遊技盤４の裏側で回収されるとともに、遊技球が入賞した場所に応じて遊技利益となる所定数の遊技球が払出装置３２にて賞球として払い出される。
【００１５】
主制御装置２０は、入力インターフェイス２４を介して、始動入賞球検知センサ２１及び通常入賞球検知センサ２２及びアタッカ入賞球検知センサ２３から送信される信号が入力されると、入力された信号に応じた制御処理を行って出力信号を生成し、図柄制御部２６及びランプ制御部２７及び音声制御部２８及び払出制御部２９に対して、出力信号（命令情報）を出力インターフェイス２５を介して送信する。
【００１６】
図柄制御部２６は、主制御装置２０からの出力信号を受けて、図柄表示装置１７における表示制御を行う。
【００１７】
ランプ制御部２７は、主制御装置２０からの出力信号を受けて、開口扉５や遊技盤４に設けられたランプ３０の点灯の制御を行う。
【００１８】
音声制御部２８は、主制御装置２０からの出力信号を受けて、本体枠３内に設けられた音声発生装置３１から発する音声の出力制御を行う。
【００１９】
払出制御部２９は、主制御装置２０からの出力信号を受けて、払出装置３２による賞球の払い出しの制御を行う。また、払出制御部２９は、発射装置３３による遊技球の打ち出しの制御を行っている発射制御部３４に対して、エラー発生時などに発射停止信号を送って遊技球の打ち出しを停止させる。
【００２０】
本実施形態におけるランプ制御部２７と音声制御部２８は、ＣＰＵ及びＲＯＭ及びＲＡＭを備えた同一の基板構成であるランプ＆音声制御装置３５に設けられており、ランプ制御部２７と音声制御部２８をそれぞれ別個の基板に設けた場合よりも配置スペースの減少化及び配置作業の容易化を図るようにしている。
【００２１】
図４に示すように、ランプ＆音声制御装置３５は、直方体の１面が開放された容器部材である第１ケース３６及び第１ケース３６の開放された面を塞ぐ第２ケース３７を接合することによって形成された箱状の取込部材である収容ケース３８内に組み付けられて収容される。第１ケース３６の１外面であって支持部材１１に取り付けられる部位には、鉤爪状の係止片である第１係止爪３９及び第２係止爪４０と、板状突起の係止片である第３係止爪４１とが突設されている。また、第１ケース３６の１外面には、主制御装置２０を組み付けて収容する主制御装置収容ケース４２（図５に図示）が回動自在に取り付けられるヒンジ部材となる軸３６ａ〜３６ｃが設けられている。
【００２２】
図５に、収容ケース３８が支持部材１１に取り付けられている状態の外観を示す。収容ケース３８は、第１〜第３係止爪３９〜４１を突設した１外面を支持部材１１に密着とする状態で取り付けられる。このとき、後述するように、第１〜第３係止爪３９〜４１が、支持部材１１に設けられている穴部である第１〜第３係合穴４５〜４７（図６に図示）の縁部に係止する係合状態となることによって、収容ケース３８は支持部材に支持される。更に、支持部材１１に設けられている、可撓性及び弾性を有する、部材または機構からなる板部４８ａ（図６に図示）を備えて構成されている固定突起４８が収容ケース３８における係合状態を保持しており、これによって第１〜第３係止爪３９〜４１の係合が解除されない固定状態となるようになり、収容ケース３８が支持部材１１から外れないように保持されることとなる。また、後述するように、支持部材１１には、収容ケース３８と支持部材１１による係合状態とする際に、第１〜第３係止爪３９〜４１を第１〜第３係合穴４５〜４７に挿入することと、第１〜第３係止爪３９〜４１を第１〜第３係合穴４５〜４７の縁部に係止させる位置に移動させる、即ち、上記の係合状態となるよう収容ケース３８の移動を案内する、板状の案内突起であるガイド片５０、５１が、収容ケース３８の左右両側の外面を挟むように突設されている。
【００２３】
このように形成されたパチンコ機の作用について、図６〜図１０を用いて説明する。図６〜図１０は、収容ケース３８を支持部材１１に対して脱着する手順を示している。また、図７〜図９は、図６に図示したａ−ａ面における断面を示している。
【００２４】
収容ケース３８と支持部材１１による係合状態とする際に、先ず、図６及び図７に示す、ガイド片５０、５１の間に挟まれる位置であって、第１〜第３係止爪３９〜４１をそれぞれ第１〜第３係合穴４５〜４７に挿入可能で、且つ、収容ケース３８の１外面によって固定突起４８を押圧できる位置に収容ケース３８を配置する。
【００２５】
次に、図８に示すように、収容ケース３８の１外面によって固定突起４８を押圧して板部４８ａを撓む状態とすることによって、固定突起４８を保持位置より退避位置に変位させながら、第１係止爪３９及び第２係止爪４０を第１係合穴４５及び第２係合穴４６に係合させるべく、収容ケース３８の挿入移動（スライド）を行う。この状態時において、収容ケース３８の１外面が固定突起４８を退避位置方向へ押圧するようになる。そして、図９及び図１０に示す、第１〜第３係止爪３９〜４１を第１〜第３係合穴４５〜４７の縁部に係止させる係合状態となる位置まで収容ケース３８をスライドさせる。そして、係合状態となった際に、固定突起４８は、収容ケース３８の１外面による押圧から開放されることによって退避位置より保持位置に復帰する。そして、収容ケース３８と固定突起４８とが当接し、支持部材１１の定位置に収容ケース３８が移動不可に固定される状態（配設状態）となる。
【００２６】
収容ケース３８と支持部材１１との係合状態を解除して、収容ケース３８を支持部材１１から取り外す際には、先ず、固定突起４８を作業者の指などを用いて押圧する。図１０に示すように、固定突起４８は外力を加えて板部４８ａを撓む状態とし得る部分４８ｂが設けてあり、これによって、固定突起４８を指などで押圧して保持位置より退避させることが容易に行えるようになっている。以後、取り付け手順を逆に行うことによって、収容ケース３８と支持部材１１との係合状態を容易に迅速且つ確実に解除して、収容ケース３８を支持部材１１から取り外すことができる。
【００２７】
なお、上記実施形態では、取込部材である収容ケース３８には係止片が３個設けられていたが、支持部材が収容ケースを支持し得るものであれば、その個数や形状などは適宜の態様を用いて良い。また、収容ケースと支持部材とが係合状態となる位置は、上記実施形態の位置に限られず、遊技機の構成によって適宜の位置としてよい。
【００２８】
上記実施形態では、本発明における取込部材に収容または装着の少なくともいずれかを行う制御装置を、ランプ及び音声発生装置を制御する装置としたが、ランプまたは音声発生装置のみを制御する装置や、他の制御装置など、適宜の制御手段としても良い。
【００２９】
なお、本発明における支持部材とは、収納ケース３８などの取込部材を支持するものであれば良く、遊技盤や開口扉、本体枠などを含むものであっても良い。
【００３０】
【発明の効果】
以上のように、本発明によれば、収容ケース（取込部材）に係止爪（係止片）を設けて、支持部材に設けられた係合穴（穴部）の縁部にて係止爪と係合穴を係合する場合において支持部材と収容ケースとの係合状態を保持する固定突起を、支持部材に取り付けようとする収容ケースの１外面によって押圧されて保持位置より退避位置に変位できるようにし、収容ケースが支持部材に取り付いたときには収容ケースの１外面による押圧から開放されて保持位置に復帰することをも可能にし、また、収容ケースを支持部材に取り付ける位置を明確に案内するガイド片（案内突起）を設けたので、収納ケースを支持部材に取り付ける場合において、ネジなどの固定部材や工具などの取り付け器具を用いずに、作業者などが片手でも容易に迅速且つ確実に前記係合状態とすることができ、支持部材が収容ケースを外れないよう定位置に配設することができるので、低コスト且つ簡便にケース状部材を支持部材に脱着させることができる遊技機を提供することができる。
【図面の簡単な説明】
【図１】本本発明を実施したパチンコ機の外観を示す斜視図である。
【図２】本体枠と遊技盤とを分解して示す斜視図である。
【図３】図１に示したパチンコ機内部の電気的構成を示す機能ブロック図である。
【図４】収容ケースを示す斜視図である。
【図５】収容ケースを支持部材に取り付けた状態を示す斜視図である。
【図６】収容ケースを支持部材に取り付ける手順を示す説明図である。
【図７】収容ケースを支持部材に取り付ける手順を示す説明図である。
【図８】収容ケースを支持部材に取り付ける手順を示す説明図である。
【図９】収容ケースを支持部材に取り付ける手順を示す説明図である。
【図１０】収容ケースを支持部材に取り付ける手順を示す説明図である。
【符号の説明】
２  パチンコ機（遊技機）
３  本体枠
４  遊技盤
１１  支持部材
２７  ランプ制御部
２８  音声制御部
３５  ランプ＆音声制御装置
３６  第１ケース
３７  第２ケース
３８  収容ケース（取込部材）
３９  第１係止爪（係止片）
４０  第２係止爪（係止片）
４１  第３係止爪（係止片）
４５  第１係合穴（穴部）
４６  第２係合穴（穴部）
４７  第３係合穴（穴部）
４８  固定突起
５０、５１  ガイド片（案内突起）
【図１】
2004337344.tif 000003
【図２】
2004337344.tif 000004
【図３】
2004337344.tif 000005
【図４】
2004337344.tif 000006
【図５】
2004337344.tif 000007
【図６】
2004337344.tif 000008
【図７】
2004337344.tif 000009
【図８】
2004337344.tif 000010
【図９】
2004337344.tif 000011
【図１０】
2004337344.tif 000012